(57)【特許請求の範囲】
【請求項１】
円盤状をした容器の周壁部の一部を切り欠いて開口部を形成すると共に、周壁の外側面には容器の蓋体を係合固定する複数の係合凹部を形成し、前記周壁の内側面には開口部と反対位置に開閉部材を係止する係合凹部を、開口部を挟んで対称位置に開口作動部材を係止する係合凹部をそれぞれ形成すると共に、前記円盤の底部中心には開閉部材を軸支する円筒軸を立設して容器本体を構成し、係合片及び開閉弁をそれぞれ支持腕を介して円筒体に連結してなる開閉部材を、前記係合凹部に係合して開閉弁が前記開口部を閉塞するように設けると共に、前記円筒軸に回転可能に枢着し、嵌合突起部を有する押圧部材に一対の支持腕を介して係合片を連結してなる開口作動部材を、前記係合凹部に係合すると共に前記開閉部材の円筒体に押圧可能に嵌着して、周縁部に係合片を有する円盤の中心部に押圧用の開孔部を形成してなる蓋体を、前記容器本体の係合凹部に係合して固定したことを特徴とする携帯用粒状物収納容器。
【請求項２】
前記容器本体は、蓋体を係合固定する係合凹部を周壁の内側面に設けた開口作動部材を係止する係合凹部の外側面に対称に形成したことを特徴とする請求項１に記載する携帯用粒状物収納容器。
【請求項３】
前記蓋体を係合固定する係合凹部は、蓋体の係合片が弾性変形して系脱自在に嵌合するように形成したことを特徴とする請求項１又は２に記載する携帯用粒状物収納容器。
【請求項４】
前記蓋体を係合固定する係合凹部は、一方は蓋体の係合片が弾性変形して系脱自在に嵌合するように形成すると共に、他方は蓋体のヒンジ片が回転可能に係合するように形成したことを特徴とする請求項１又は２に記載する携帯用粒状物収納容器。
【請求項５】
前記蓋体は、円盤の中心部に押圧用の開孔部を有すると共に、周縁部に一対の弾性変形可能な係合片を有し、該係合片を前記容器本体の係合凹部に系脱自在に嵌合せしめたことを特徴とする請求項１乃至３に記載する携帯用粒状物収納容器。
【請求項６】
前記蓋体は、円盤の中心部に押圧用の開孔部を有すると共に、周縁部に弾性変形可能な係合片と回転可能なヒンジ片とを有し、該ヒンジ片を前記容器本体の係合凹部に回転可能に嵌合し、該係合片を他方の係合凹部に系脱自在に嵌合せしめたことを特徴とする請求項１又は５に記載する携帯用粒状物収納容器。
【請求項７】
前記開閉部材は、先端に係合片を設けた弾性変形可能な支持腕と開閉弁を設けた支持腕とを円筒体下端部に対向するように連結して構成したことを特徴とする請求項１に記載する携帯用粒状物収納容器。
【請求項８】
前記弾性変形可能な支持腕の先端連結部と係合片との間にはＬ字状の切り欠き溝を設けて支持腕を変形容易にしたことを特徴とする請求項１又は７に記載する携帯用粒状物収納容器。
【請求項９】
前記円筒体の内周面に押圧部材の嵌合用筒状の突起に係合する傾斜溝を設けて、開閉部材を旋回可能に軸支したことを特徴とする請求項１又は７に記載する携帯用粒状物収納容器。
【請求項１０】
前記開口作動部材は、先端に係合片を設けた一対の支持腕を押圧部材の下縁部に対称に弾性変形可能に連結すると共に、該押圧部材の下面に嵌合用筒状突起を設けて構成したことを特徴とする請求項１に記載する携帯用粒状物収納容器。
【請求項１１】
前記の押圧部材の筒状突起面には開閉部材の円筒体内周面の傾斜溝と係合する突起片を設けたことを特徴とする請求項９又は１０に記載する携帯用粒状物収納容器。
【請求項１２】
前記開閉部材の円筒体内周面の傾斜溝に、押圧部材の嵌合用筒状の突起に係合して、押圧部材の押圧により前記開閉部材が回転して前記支持腕の弾性変形により開閉弁が開口するようにしたことを特徴とする請求項１又は７乃至１１に記載する携帯用粒状物収納容器。
【発明の詳細な説明】
【０００１】
【発明の属する技術分野】
本発明は、粒状物を収納する小型で軽量な携帯用容器に関する、更に詳しくは、容器の蓋部を取り外すことなく、容器を片手で持って指先で押圧するだけで、容器内に収納した口臭防止剤やハッカ等の粒状物を適量づつ取り出すことができて、携帯に便利な容器に関するものである。
【０００２】
【従来の技術】
従来から喉飴や丸薬、錠剤、仁丹（登録商標）その他の小さな粒状物を収納した小型の携帯容器を常時携帯している人が、必要に際して口臭防止剤や緊急飲用薬剤を飲用しようとして容器から内容物を注出するには、ポケット等から取り出した容器を片方の手で持って、もう一方の手で容器の口部に螺合する蓋を捩じって、開口弁をスライドさせて取り注出口を連通させるか、蓋を取り外すかしてから、容器を傾けて掌の上または口中へ内容物を注出口から振り出す形式をした構造のものが、従来の容器としては多数を占めていた。
しかし、従来のこの種の容器は、片方の手で容器本体を持って、一方の手で一々蓋を開口してから内容物を取り出すようにしたものであるから、蓋の開閉操作が面倒であり、その上内容物を取り出すには開口してから容器を傾けなければならず、こぼさずに内容物は取り出しにくく、使用が非常に不便であった。
また、ポケットやハンドバッグその他に携帯中に、振動その他により蓋が独りでにずれて開口してしまい、収納物がこぼれ出る欠点があった。
【０００３】
そこで、このような欠点を改良して、図１１に示すような容器を出願人は提案している、即ち、半楕円状をした底板２ｄに略Ｕ字状に浅い周壁２ａを形成すると共に、前縁開口端の開閉を行う揺動片５を設けた容器本体２に、略Ｕ字形の平板からなる蓋体３を係合した容器１に於いて、前記底板の前縁開口端の近傍には、中央部分が後方へＶ字状に折れ曲がった起立壁６を立設すると共に、該Ｖ字状起立壁６の両端近くに揺動片５を揺動可能に支持する支持軸８を突設して、該支持軸８に細長い板状体の中央部が屈曲可能な凹溝状をしたヒンジ部５ａとなした揺動片５を回動自在に嵌合せしめて、容器本体２の前縁開口端の一側に設けた排出口４を閉塞するように形成すると共に、前記Ｖ字状の起立壁６により揺動片５の動きを制限するように形成して、粒状内容物を収容する空間を画成する。
そして、前記容器本体２の両側壁に設けた係合片２ｂに蓋体３に設けられたＬ形係合片３ｂを係合して、粒状物を収容可能にした容器１を構成して、前記揺動片５の中央部を指先で押圧することにより前記ヒンジ部５ａが内側へ折れ曲がって、開口端の揺動片５が支持軸８の回りを回動して排出口４が開いて、内容物を注出可能に形成した粒状物収納容器である。（特公昭５１−１３０７５号公報参照）
【０００４】
しかし、上記したような粒状物収納容器１は、片手で持ったままでも取り出し口の開閉することが可能ではあるが、このような容器から内容物を必要な量だけを確実に取り出すことは難しくて、また、開口作動部材である揺動片５が剥き出しになっているので、ハンドバッグやポケットに入れたままで持ち歩いている最中に、開口作動部材が揺動して排出口４が不用意に開いて内容物がこぼれ出ることもある。
そこで、容器の開口部の間隙を粒状物の粒径に合わせた隙間となるように調節可能にして、粒状物を確実に必要とする量だけを取り出せるようにすると共に、携帯中に作動部材が不用意に揺動して開口することがないようにすることが必要であるとの認識に立って、研究を重ねた結果に基づいて図１０に示すような粒状物収納容器に関する発明を行って、出願人は特開平９−２４９２７２号として先に出願している。
【０００５】
その容器は図１０に示すように、薄い円筒状もしくは円盤状に形成した周壁部２ａに、粒状物ｐを取り出すための開口部４と蓋体を係止する係合凹部２ｂを設けると共に、底板部９の中心部に開口作動部材５の押圧部５ａを軸支する円筒軸２ｅを形成して容器本体２を構成し、前記周壁部２ａに後端部５ｅを嵌合、固定した一対の細い板状片５ｃを、開閉支持部材５ｂを介して釦状の押圧部５ａに連結すると共に、先端部５ｄを開閉可能となして開口作動部材５を構成して、押圧部材５ａの下面に突設した支持ピンを前記円筒軸２ｅ内に枢着せしめる。
次いで、前記釦状の押圧部５ａを押圧可能にする円形開孔を蓋体の中心部に設けると共に周縁部に前記係合凹部２ａに係合する係合片３ｂを設けた円盤状の蓋体を、前記容器本体２に被着せしめることにより粒状物を収納可能にした容器が形成される。
そして、上記のように形成された粒状物収納容器は、釦状の押圧部５ａの押し込み量を加減することにより、前記開口作動部材５の先端部５ｄの隙間を調節できて、排出開口部４から粒状物ｐを必要量だけ容易に取り出し可能となり、また、携帯中に釦状の押圧部５ａが不用意に押圧されても、蓋内に釦面が陥没しないように蓋体の円形開孔縁で防止するような構造をしたものである。
【０００６】
しかし、このような構造をした容器では、板状片５ｃはその後端部を支点として先端部が開閉するようにしたものであるから、容器本体２の開口部４の周壁の内周面と開口作動部材５の板状片５ｃの先端外側面との間に空間部２ｆが生じるので、このような容器１をポケット等に長時間入れたままにして置くと、開口部４の隙間２ｇから前記空間部２ｆに塵や埃が入り込んで溜まる恐れがあって、衛生的にみて不潔感をもたらす。
そこで、容器１の前記空間部２ｆに塵や埃が侵入するのを防止するためには、開口部４に隙間２ｇを生じないようにすることが必要となり、そのためには開口作動部材５の先端部または開口端部に弾性片等を設けて、前記隙間２ｇを密閉することが必要となる欠点がある。
【０００７】
【発明が解決しようとする課題】
容器を片手で持ったまま釦状の押圧部を押すだけで取り出し口を開閉することができて、容器内の粒状物を適量づつ確実に取り出すことができ、ハンドバッグやポケット等に入れて持ち歩いている最中に、開口部が不用意に開いて内容物がこぼれ出ることがない円盤状をした小型の携帯容器とする。
前記容器は、小型の円盤状をした容器の蓋部中央に設けた釦状の押圧部材に連動する開閉部材を、円盤周壁に形成した開口部に円周方向に慴動回転可能に設けることにより、開閉部材表面を前記円盤周壁面に常時接触せしめて、非開口時には開口部を密閉状態に保ち、開口する際には押圧部材の釦面を押圧して開口部材の密閉弁を回動させてワンタッチで開口操作ができるようにする。
【０００８】
【課題を解決するための手段】
円盤状をした容器本体２の周壁部２ａの一部を切り欠いて内容物の注出開口部２ｇを形成し、前記周壁２ａの外側面には容器の蓋体を係合固定する一対の係合凹部２ｂを、内側面には開口作動部材５を係合支持する凹部２ｆ及び開閉部材４を係合支持する凹部２ｃをそれぞれ設けると共に、前記円盤の底部中心には開閉部材４の回転円筒４ｅ部を軸支する円筒軸２ｅを立設して容器本体２を構成し、係合片４ｂ及び開閉弁４ａをそれぞれ支持腕４ｄ，４ｆを介して回転円筒４ｅ部に連結してなる開閉部材４を、前記円筒軸２ｅに回転可能に軸支すると共に係合片４ｂを前記凹部２ｃに係合支持し、開口作動部材５の押圧部材５ａの下面に形成した突起部を前記回転円筒４ｅ部内に嵌合して固定し、周縁部に係合片３ｂを有する円盤の中心部に押圧用の開孔部３ａを形成してなる蓋体３を、前記容器本体２の凹部２ｂに係合して固定し、前記開口作動部材５の押圧部材５ａを押圧することにより容器の開口部２ｇを開閉可能にして携帯用粒状物収納容器１を構成する。
【０００９】
【発明の実施の形態】
本発明は、円盤状をした底板２ｄに立設する周壁２ａの一部を切り欠いて排出開口部２ｇを形成した容器本体２に於いて、周壁内面に開口部２ｇと対向する位置に形成した係合凹部２ｃに開閉部材４の支持片４ｄに設けた係合片４ｂを係合すると共に、開閉弁４ａが開口部２ｇを閉塞するように開閉部材４の回転円筒部４ｅを容器本体２の底部に設けた円筒軸２ｅに回転可能に軸支して、更に、前記周壁２ａの内面に形成した一対の係合凹部２ｆには、開口作動部材５を形成する一対の支持腕５ｃに設けた係合片５ｂを係合すると共に、開口作動部材５の押圧部材５ａに設けた筒状突起部５ｅを前記開閉部材４の回転筒体４ｅに嵌合して構成する容器本体の空間部に錠剤等の粒状物を収納して、周縁部に弾性を有する係合片３ｂを設けた円盤の中央部に押圧用の円形開孔部３ａを形成してなる蓋体３を、前記容器本体２の外周壁の係合凹部２ｂに係合せしめて固定して、押圧、開閉が可能な携帯用粒状物収納容器を形成する。
そして、錠剤等の飲用を必要とする時には、前記蓋体３の中央部に形成された開孔部３ａ内に位置する釦状の押圧部材５ａの押圧面を指先で押圧することにより回転円筒体４ｅが回転されると、前記開閉部材４の支持腕４ｆが旋回して開口部２ｇが開いて、内部の粒状物ｐを必要な量だけ確実に排出することができるようになる。
【００１０】
【実施例】
以下、本発明の一実施例を図面に基づいて説明する。図１乃至５に示すように本発明は、円盤状の底板２ｄの周縁部に周壁２ａを形成し、該周壁の一部を切り欠いた状態の排出開口部２ｇを形成すると共に、該排出開口部を挟んで対向する位置の周壁外周面には蓋体３を係止する係合凹部２ｂを、また、周壁内周面には開口作動部材５を係止する係合凹部２ｆをそれぞれ対称に形成して、且つ、周壁内面の開口部２ｇと対向する位置に開閉部材４を係止する係合凹部２ｃを形成すると共に、前記底板２ｄの中心部には開口部を開閉する開閉部材５の回転円筒体４ｅを軸支する円筒軸２ｅを形成してなる容器本体２を、合成樹脂の射出成形などにより一体に成形する。（図２）
【００１１】
また、前記回転円筒体４ｅに連結する一対の支持腕４ｄ，４ｆの先端部には、係合片４ｂ及び開閉弁４ａをそれぞれ設けて開口部を開閉する開閉部材４を形成して、弾性変形可能な前記支持腕４ｄに設けた係合片４ｂを前記周壁内面の係合凹部２ｃに係合せしめて、やや剛性を有する前記支持腕４ｆに設けた開閉弁４ａが前記開口部２ｇを塞ぐように構成すると共に、前記開閉部材４を円筒体４ｅにより容器本体の円筒軸２ｅに回転可能に枢着する。
そして、釦状に形成した押圧部材５ａの対称位置に連結した一対の弾性変形可能な支持腕５ｃの先端部に、それぞれ係合片５ｂを設けて形成された開口作動部材５を、前記容器本体２の係合凹部２ｆに前記係合片５ｂを係合せしめると共に前記押圧部材５ａの下面に設けた筒状突起部５ｅを前記円筒体４ｅに嵌着せしめるようにして固定する。（図３，５（Ａ））
そして、円盤の周縁部に弾性を有する複数の係合片３ｂ（図示においては２個）を設けると共に、中心部に前記押圧部材５ａの釦面を押圧可能に形成する円形開孔部３ａを設けてなる蓋体３を、上記のように構成された容器本体２の上端面に被着せしめて押圧すると、容器本体２の係合凹部２ｂに前記蓋体３の係合片３ｂが少し弾性変形して突起部２ｊに係合せしめられて、前記押圧部材５ａを円形開孔３ａ内方へ押圧可能に嵌合、固定されるので、外見上は化粧用コンパクト容器に類似した小型で携帯に便利な粒状物を収納する容器１を構成することができる。（図１）
【００１２】
上記した本発明の開口作動部材５は合成樹脂の射出成形により、図６及び７に示すように、略円形の釦状に形成した押圧部材５ａの周縁部に下向きに一対の弾性支持腕５ｃを対称位置に連結して形成すると共に、前記支持腕５ｃの先端部には、前記容器本体２の係合凹部２ｆに係合する係合片５ｂが形成して、また同時に、前記押圧部材５ａの裏面部には筒状突起部５ｅと回転円筒体４ｅに係合する係合壁５ｆとが同心円状に形成されると共に、前記筒状突起部５ｅの外周面には前記円筒体４ｅの内周面に形成した斜溝部に係合する一対の突起片５ｄが形成された構造に成形される。
同じく開閉部材４は合成樹脂の射出成形により、図８及び９に示すように、円筒体４ｅの一端部に開閉弁４ａを有する支持腕４ｆと係合片４ｂを有する弾性変形可能な支持腕４ｄを対称位置に連結して設けて、該円筒体４ｅの内周面に押圧部材５ａの突起片５ｄが係合する斜溝４ｇを設けると共に円筒軸２ｅに嵌着する弾性片４ｈを設けて、前記係合片４ｂの支持腕４ｄが円周方向に弾性変形する際に、支持腕４ｄが容易に変形できるように係合片４ｂが支持腕４ｄに接合する付け根部分にはＬ字状の切り欠き溝４ｃを形成した構造に成形される。
【００１３】
上記したような構造に形成された本発明を、錠剤等の粒状物を収納した容器として使用するには、蓋体３の係合片３ｂを容器本体２の係合凹部２ｂから離脱せしめて蓋部を分離して開いた状態にしてから、容器本体２の周壁２ａと開口作動部材５とにより画成された空間部に、口臭防止剤その他の粒状物ｐを充填した後（図３）、再び蓋体３を容器本体２に嵌着する。
上記のようにして容器１内部に収納された粒状物ｐを取り出すには、蓋体３の中央部に形成された円形開孔部３ａに位置する押圧部材５ａの釦面を指先で下方へ押圧すると、前記押圧部材５ａが押し下げられるのに伴って前記開口作動部材５の支持腕５ｃが撓みつつ、開口作動部材５の筒状突起部５ｅが前記開閉部材４の円筒体４ｅ内へ押し込まれることとなる。
このようにして、前記筒状突起部５ｅが円筒体４ｅ内に押し込まれるのに従って、筒状突起部５ｅの外周面に設けられた一対の突起片５ｄは円筒体４ｅの内周面に形成された斜溝４ｇ面上を滑降するが、開口作動部材５は支持腕５ｃとその先端部に設けた係合片５ｂにより容器本体２の周壁内面の係合凹部２ｆに回動不能に固定されているので、親指等の押圧力により円筒体４ｅは次第に回転される結果、開閉部材４は支持腕４ｄが捩じられて弾性変形しながら回転せしめられて、開閉弁４ａが開口部２ｇの位置から摺動されて開口した状態になるので、掌の上に容器１を少し傾ければ容器内に収納した粒状物ｐを必要な量だけ取り出すことができる。（図５（Ｂ））
【００１４】
上記した実施例に於いて用いた蓋体３は、中心部に円形開孔部３ａを形成した円盤の周縁部に複数の係合片３ｂを設けて、前記係合片３ｂを容器本体２の周壁２ａに形成した係合凹部２ｂに係合せしめて固定した構造であるので、容器内に粒状物を収納するには、蓋体３に設けた係合片３ｂを容器本体２の係合凹部２ｂから分離しなければならないので、不注意で蓋体を落下する恐れがある。
そこで、蓋体を図４に示すような形式にすることが考えられる、即ち、容器本体２の周壁２ａ部に蓋体の係合片３ｂに係合する係合凹部２ｂとその反対側に蓋体のヒンジ片３ｅに係合する突起２ｉを設けた係合凹部２ｈを形成し、中心部に押圧部材５ａを押圧する円形開孔部３ａを形成した円盤の周縁部に係合片３ｂを設けると共に反対側にはヒンジ片３ｅを設けてヒンジ蓋体３Ａを構成し、前記ヒンジ片３ｅ凹部を前記容器本体２の係合凹部２ｈの突起２ｉに回転可能に係合支持すると共に、前記係合片３ｂを係合凹部２ｂに係合せしめてヒンジ蓋体３Ａを固定して、開口作動部材５の押圧部材５ａを前記円形開孔部３ａの内方へ押圧可能に位置せしめたものとする。
蓋体を上記のような構成にしたことにより、容器内に粒状物を収納する際には、ヒンジ蓋体３Ａの係合片３ｂと容器本体２の係合凹部２ｂとの係合を解除すれば、ヒンジ蓋体３Ａはヒンジ片３ｅ部分で回転して開くことができるので、蓋体を落とすこともなく、また、紛失する恐れもなく、粒状物を容易に収納することができる。
【００１５】
本発明は、上記のような構成にしたので、容器１の開口部２ｇは、不使用時には開閉弁４ａにより常時塞がれているので、容器の空間部に塵や埃が侵入することはない。そして、容器１内に収納する丸薬等の粒剤ｐを取り出そうと、開口作動部材５の押圧部材５ａを押圧すると、開閉部材４が回転するのに伴って開閉弁４ａが慴動して、開口部２ｇが開かれて内部空間部の粒剤ｐ収納部に連通して開口するようにしたので、押圧部材５ａの押し込み量を加減することにより開口部の開き具合を調整することができる。
粒剤ｐを必要な数だけ取り出すことができたら、押圧部材５ａから指を離すと押圧力が開放されるので、開閉部材４の支持腕４ｄ及び開口作動部材５の支持腕５ｃの弾性力により開閉部材４が回転して開閉弁４ａはもとの開口部２ｇに復帰閉じることとなる。
【００１６】
上記実施例に於ける本発明の開口作動部材５は、釦状の押圧部材５ａの下面に支持腕５ｃと筒状突起部５ｅを突設させて設け、支持腕５ｃの先端に連結する係合片５ｂとからなるものを、合成樹脂により一体成形したものであるが、このように、必ずしも一体成形体に限るものではなくて、適当に分割した状態で成形した後で連結したものであってもよいことは言うまでもない。
また、上記実施例に於いては、容器の形状として円形状をしたものについて説明したが、このような形状に限ることなく、楕円形状をしたものであってもよろしいことは言うまでもない。
更には、押圧部材及び蓋体の開孔部の形状も円形に限られることはなく、楕円形その他の適当な形であってもよく、係止部は最低２個あればよくて、それ以上の複数個設けることは自由である。
【００１７】
【発明の効果】
以上述べたように、本発明の容器は、略円筒もしくは円盤状をした容器本体内に、弾性応力を備えた一対の開口作動支持腕と係合部材を釦状の押圧部材で結合し、開閉支持腕と開閉弁、係合部材を対向して設けて構成してなる開口作動部材を、押圧により回転可能に枢着固定して、押圧部材の釦部を押圧することにより開閉弁が開口できるように設けた蓋体を容器本体に嵌着した構造であるから、蓋を捻じったりして開ける必要がなくて、釦部を指先きで押圧するだけで、開口部を必要な大きさに開くことができるので、容器内の粒状物を必要な数だけ容易に取り出すことができる。
また、容器は片手に持てるようにコンパクト程度に小型化することができて、携帯にも便利であり、不用意に内容物がこぼれ出たり、容器の内部に塵等が入ったりすることもない。
そして、蓋体は容器本体に着脱自在に係合して設けられているので、使用済の後は、蓋体及び開口作動部材を容易に分離することができて、容器内を容易に洗浄できるので、内容物を別の粒状物に詰め替えることも容易に行うことが可能である。
【図面の簡単な説明】
【図１】本発明の容器全体を示す外観斜視図である。
【図２】本発明の構成部材を分解した斜視図である。
【図３】本発明の容器の蓋体を分離した斜視図である。
【図４】本発明の容器にヒンジ付き蓋体を適用した斜視図である。
【図５（Ａ）】本発明の押圧部材を押圧する前の状態の蓋体を分離した斜視図である。
【図５（Ｂ）】本発明の押圧部材を押圧した状態の蓋体を分離した斜視図である。
【図６】本発明の開口作動部材の底面図である。
【図７】本発明の図５に示す開口作動部材のＡ−Ａ断面図である。
【図８】本発明の開閉部材の平面図である。
【図９】本発明の図７に示す開閉部材のＢ−Ｂ断面図である。
【図１０（Ａ）】本発明の先行例の容器の密閉時を示す図である。
【図１０（Ｂ）】本発明の先行例の容器の開口時を示す図である。
【図１１】従来例を示す容器の蓋体を分離した斜視図である。
【符号の説明】
１．  携帯用粒状物収納容器
２．  容器本体
２ａ．容器周壁部
２ｂ．蓋体の係合凹部
２ｇ．開口部
３．  蓋体
３Ａ．ヒンジ蓋体
３ａ．円形開口部
４．  容器の開閉部材
４ａ．開閉弁
４ｄ．開閉部材の支持片
４ｅ．円筒体
５．  開口作動部材
５ａ．押圧部材
５ｃ．開口作動部材の支持腕
ｐ．  粒状物
【図１】
0003718882.tif 000002
【図２】
0003718882.tif 000003
【図３】
0003718882.tif 000004
【図４】
0003718882.tif 000005
【図５】
0003718882.tif 000006
【図６】
0003718882.tif 000007
【図７】
0003718882.tif 000008
【図８】
0003718882.tif 000009
【図９】
0003718882.tif 000010
【図１０】
0003718882.tif 000011
【図１１】
0003718882.tif 000012